【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器（ＵＥ）によって、拡張されたラジオ・フレームを使用して通信することであって、前記拡張されたラジオ・フレームは、アップリンク−ダウンリンク構成の第１のセットをサポートする第１のラジオ・フレームの少なくとも一部、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信することと、
前記ＵＥによって、前記拡張されたラジオ・フレームに少なくとも部分的に基づいて、ハイブリッド自動反復要求（ＨＡＲＱ）タイミングを調整することと、
を備える、方法。
【請求項２】
前記拡張されたラジオ・フレームは、前記第１のラジオ・フレームおよび前記第２のラジオ・フレームの少なくとも合計時間長さを有する、請求項１に記載の方法。
【請求項３】
前記ＨＡＲＱタイムラインを調整することは、
前記拡張されたラジオ・フレームの前記第１のラジオ・フレームまたは前記第２のラジオ・フレームのうちの少なくとも１つにおいて物理アップリンク共有チャネル（ＰＵＳＣＨ）送信を保留すること、
備える、請求項１に記載の方法。
【請求項４】
前記調整を実行する指示を、システム情報ブロック（ＳＩＢ）構成によって、前記ＵＥにおいて受信すること、をさらに備える請求項１に記載の方法。
【請求項５】
前記調整を実行する指示を、前記拡張されたラジオ・フレームの少なくとも１つのデータ領域で送信される第１のダウンリンク・アクノレッジメント情報によって、前記ＵＥにおいて受信すること、をさらに備える請求項１に記載の方法。
【請求項６】
前記少なくとも１つのデータ領域は、Ｒ−ＰＨＣＨＩ（リレー物理ＨＡＲＱ（ハイブリッド自動反復要求））インジケータ・チャネル（ＰＨＩＣＨ）を備える、請求項５に記載の方法。
【請求項７】
第１のサブフレーム・グループのために意図された前記少なくとも１つのデータ領域で送信された前記第１のダウンリンク・アクノレッジメント情報が、第２のサブフレーム・グループのために意図された第２のダウンリンク・アクノレッジメント情報とともに周波数多重される、請求項５に記載の方法。
【請求項８】
前記少なくとも１つのデータ領域は、Ｒ−ＰＤＣＣＨ（リレー物理ダウンリンク制御チャネル（ＰＤＣＣＨ））を備える、請求項５に記載の方法。
【請求項９】
前記調整を実行する指示を、前記拡張されたラジオ・フレームのＭＢＳＦＮ（マルチプル・ブロードキャスト・マルチメディア単一周波数ネットワーク）サブフレームで送信されるダウンリンク・アクノレッジメント情報によって、前記ＵＥにおいて受信すること、をさらに備える請求項１に記載の方法。
【請求項１０】
無線通信のための方法であって、
ユーザ機器（ＵＥ）によって、拡張されたラジオ・フレームを使用して通信することであって、前記拡張されたラジオ・フレームは、アップリンク−ダウンリンク構成の第１のセットをサポートする第１のラジオ・フレームの少なくとも一部、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信することと、
前記拡張されたラジオ・フレームの共有データ領域、または、マルチプル・ブロードキャスト・マルチメディア・サービス単一周波数ネットワーク（ＭＢＳＦＮ）サブフレーム、で送信された周波数分割多重（ＦＤＭ）チャネル情報を、前記ＵＥにおいて受信することと、
前記拡張されたラジオ・フレームに少なくとも部分的に基づいて、ハイブリッド自動反復要求（ＨＡＲＱ）タイミングを調整することと、
を備える、方法。
【請求項１１】
前記ＦＤＭチャネル情報は、物理ＨＡＲＱ（ハイブリッド自動反復要求）インジケータ・チャネル（ＰＨＩＣＨ）情報、または物理ダウンリンク制御チャネル（ＰＤＣＣＨ）情報のうちの少なくとも１つを備える、請求項１０に記載の方法。
【請求項１２】
無線通信のためのシステムであって、
メモリと、
前記メモリに結合された少なくとも１つのプロセッサと、
を備え、
前記少なくとも１つのプロセッサは、
拡張されたラジオ・フレームを使用して通信することであって、前記拡張されたラジオ・フレームは、アップリンク−ダウンリンク構成の第１のセットをサポートする第１のラジオ・フレーム、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信することと、
前記拡張されたラジオ・フレームに少なくとも部分的に基づいて、ハイブリッド自動反復要求（ＨＡＲＱ）タイミングを調整することと、
を行うように構成された、システム。
【請求項１３】
前記拡張されたラジオ・フレームは、前記第１のラジオ・フレームおよび前記第２のラジオ・フレームの少なくとも合計時間長さを有する、請求項１２に記載のシステム。
【請求項１４】
前記少なくとも１つのプロセッサは、前記拡張されたラジオ・フレームの前記第１のラジオ・フレームまたは前記第２のラジオ・フレームのうちの少なくとも１つにおいて物理アップリンク共有チャネル（ＰＵＳＣＨ）送信を保留することによって、前記ＨＡＲＱタイムラインを調整するようにさらに構成された、請求項１２に記載のシステム。
【請求項１５】
前記少なくとも１つのプロセッサは、前記調整を実行する指示を、システム情報ブロック（ＳＩＢ）構成によって、前記ＵＥにおいて受信するようにさらに構成された、請求項１２に記載のシステム。
【請求項１６】
前記少なくとも１つのプロセッサは、前記調整を実行する指示を、前記拡張されたラジオ・フレームの少なくとも１つのデータ領域で送信される第１のダウンリンク・アクノレッジメント情報によって、前記ＵＥにおいて受信するようにさらに構成された、請求項１２に記載のシステム。
【請求項１７】
前記少なくとも１つのデータ領域は、Ｒ−ＰＨＣＨＩ（リレー物理ＨＡＲＱ（ハイブリッド自動反復要求））インジケータ・チャネル（ＰＨＩＣＨ）を備える、請求項１６に記載のシステム。
【請求項１８】
第１のサブフレーム・グループのために意図された前記少なくとも１つのデータ領域で送信された前記第１のダウンリンク・アクノレッジメント情報が、第２のサブフレーム・グループのために意図された第２のダウンリンク・アクノレッジメント情報とともに周波数多重される、請求項１６に記載のシステム。
【請求項１９】
前記少なくとも１つのデータ領域は、Ｒ−ＰＤＣＣＨ（リレー物理ダウンリンク制御チャネル（ＰＤＣＣＨ））を備える、請求項１６に記載のシステム。
【請求項２０】
前記少なくとも１つのプロセッサは、調整する指示を、前記拡張されたラジオ・フレームのＭＢＳＦＮ（マルチプル・ブロードキャスト・マルチメディア単一周波数ネットワーク）サブフレームで送信されるダウンリンク・アクノレッジメント情報によって、前記ＵＥにおいて受信するように構成された、請求項１２に記載のシステム。
【請求項２１】
無線通信のためのシステムであって、
メモリと、
前記メモリに結合された少なくとも１つのプロセッサと、
を備え、
前記少なくとも１つのプロセッサは、
拡張されたラジオ・フレームを使用して通信することであって、前記拡張されたラジオ・フレームは、アップリンク−ダウンリンク構成の第１のセットをサポートする第１のラジオ・フレーム、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信することと、
前記拡張されたラジオ・フレームの共有データ領域、または、マルチプル・ブロードキャスト・マルチメディア・サービス単一周波数ネットワーク（ＭＢＳＦＮ）サブフレーム、で送信された周波数分割多重（ＦＤＭ）チャネル情報を、ユーザ機器（ＵＥ）において受信することと、
前記ＵＥによって、前記拡張されたラジオ・フレームに少なくとも部分的に基づいて、ハイブリッド自動反復要求（ＨＡＲＱ）タイミングを調整することと、
を行うように構成された、システム。
【請求項２２】
前記ＦＤＭチャネル情報は、物理ＨＡＲＱ（ハイブリッド自動反復要求）インジケータ・チャネル（ＰＨＩＣＨ）情報、および物理ダウンリンク制御チャネル（ＰＤＣＣＨ）情報のうちの少なくとも１つを備える、請求項２１に記載のシステム。
【請求項２３】
無線通信のための装置であって、
ユーザ機器（ＵＥ）によって、拡張されたラジオ・フレームを使用して通信するための手段であって、前記拡張されたラジオ・フレームは、アップリンク−ダウンリンク構成の第１のセットをサポートする第１のラジオ・フレーム、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信するための手段と、
前記ＵＥによって、前記拡張されたラジオ・フレームに少なくとも部分的に基づいて、ハイブリッド自動反復要求（ＨＡＲＱ）タイミングを調整するための手段と、
を備える、装置。
【請求項２４】
無線通信のための装置であって、
ユーザ機器（ＵＥ）によって、拡張されたラジオ・フレームを使用して通信するための手段であって、前記拡張されたラジオ・フレームは、アップリンク−ダウンリンク構成の第１のセットをサポートする第１のラジオ・フレーム、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信するための手段と、
前記拡張されたラジオ・フレームの共有データ領域、または、マルチプル・ブロードキャスト・マルチメディア・サービス単一周波数ネットワーク（ＭＢＳＦＮ）サブフレーム、で送信された周波数分割多重（ＦＤＭ）チャネル情報を、前記ＵＥにおいて受信するための手段と、
前記ＵＥによって、前記拡張されたラジオ・フレームに少なくとも部分的に基づいて、ハイブリッド自動反復要求（ＨＡＲＱ）タイミングを調整するための手段と、
を備える、装置。
【請求項２５】
プログラム・コードが記録された非一時的なコンピュータ読取可能な媒体であって、前記プログラム・コードは、
ユーザ機器（ＵＥ）によって、拡張されたラジオ・フレームを使用して通信するためのプログラム・コードであって、前記拡張されたラジオ・フレームは、アップリンク−ダウンリンク構成の第１のセットをサポートする第１のラジオ・フレーム、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信するためのプログラム・コードと、
前記ＵＥによって、前記ＵＥに割り当てられたサブフレーム・グループのハイブリッド自動反復要求（ＨＡＲＱ）タイミングを調整するためのプログラム・コードと、
を備える、非一時的なコンピュータ読取可能な媒体。
【請求項２６】
プログラム・コードが記録された非一時的なコンピュータ読取可能な媒体であって、前記プログラム・コードは、
ユーザ機器（ＵＥ）によって、拡張されたラジオ・フレームを使用して通信するためのプログラム・コードであって、前記拡張されたラジオ・フレームは、アップリンク−ダウンリンク構成の第１のセットをサポートする第１のラジオ・フレーム、およびアップリンク−ダウンリンク構成の第２のセットをサポートする第２のラジオ・フレームの少なくとも一部を備え、ここにおいて、前記アップリンク−ダウンリンク構成の第１のセット、および前記アップリンク−ダウンリンク構成の第２のセットは、１または複数のサブフレーム・グループに区分される、通信するためのプログラム・コードと、
前記拡張されたラジオ・フレームの共有データ領域、または、マルチプル・ブロードキャスト・マルチメディア・サービス単一周波数ネットワーク（ＭＢＳＦＮ）サブフレーム、で送信された周波数分割多重（ＦＤＭ）チャネル情報を、前記ＵＥにおいて受信するためのプログラム・コードと、
前記ＵＥによって、前記拡張されたラジオ・フレームに少なくとも部分的に基づいて、ハイブリッド自動反復要求（ＨＡＲＱ）タイミングを調整するためのプログラム・コードと、
を備える、非一時的なコンピュータ読取可能な媒体。